(57)【要約】【課題】気液接触を利用する空気清浄機において、処理液の溶解度の低下を再生させ、効率よく処理できる空気清浄機を提供する。【解決手段】  空気と処理液とを接触させることにより、空気中の汚染物質をその処理液で処理して減少させる気液接触手段と、空気を取り込み気液接触手段へ導入する送気手段および吸気手段の少なくとも一つと、処理液に溶解した汚染物質を酸化する酸化手段とを含むことを特徴とする空気清浄機である。酸化手段として、オゾン発生部を備える。さらに、処理液を酸化した後、排出されるオゾンを処理する残留オゾン処理装置、オゾンを回収する残留オゾン回収経路、空気清浄機外へ排出されるオゾンを検出するオゾン検出部、人の所在の有無を検知する人感部を備える。【選択図】        図１
2005074311.tif 000002
【特許請求の範囲】
【請求項１】
空気と処理液とを接触させることにより、前記空気中の汚染物質をその処理液で処理して減少させる気液接触手段と、
前記空気を取り込み前記気液接触手段へ導入する送気手段および吸気手段の少なくとも一つと、
前記処理液に含有された汚染物質を酸化する酸化手段と
を含むことを特徴とする空気清浄機。
【請求項２】
前記酸化手段として、酸化剤を使用する請求項１に記載の空気清浄機。
【請求項３】
前記酸化手段としてオゾンを発生するオゾン発生部を有し、前記オゾン発生部で発生したオゾンによる酸化処理を行う請求項１または２に記載の空気清浄機。
【請求項４】
前記処理液を酸化するために使用された後、排出されるオゾンを処理する残留オゾン処理手段を排気経路中に備えた請求項３に記載の空気清浄機。
【請求項５】
前記処理液を酸化するために使用された後、前記処理液から放出されるオゾンを回収する残留オゾン回収経路を備えた請求項３または４に記載の空気清浄機。
【請求項６】
前記処理液を酸化するために使用された後、排出されるオゾンを検出するオゾン検出部を備えた請求項３ないし５のいずれか１項に記載の空気清浄機。
【請求項７】
人の所在の有無を検知する人感部を備え、前記人感部の検知により、オゾンの発生を制御する請求項３ないし６のいずれか１項に記載の空気清浄機。
【請求項８】
タイマーによる制御手段を備え、前記タイマーによりオゾンの発生を制御する請求項３ないし７のいずれか１項に記載の空気清浄機。
【請求項９】
アルデヒド基を含むアルデヒドが混入した空気を処理液と接触させる気液接触により、前記処理液中に取り込まれたアルデヒドを、酸化手段により酸化し、前記アルデヒド基をカルボキシル基に変えることによって、アルデヒドをカルボン酸に変化させ、これにより気液接触後の空気中から前記アルデヒドを減少させることを特徴とする空気清浄方法。
【請求項１０】
アセトアルデヒドが混入した空気を処理液と接触させる気液接触により、前記処理液中に取り込まれたアセトアルデヒドを、オゾンにより酸化し、アセトアルデヒドを酢酸に変化させ、これにより気液接触後の空気中から前記アセトアルデヒドを減少させることを特徴とする空気清浄方法。
【発明の詳細な説明】
【技術分野】
【０００１】
本発明は、空気中に含まれるガスや塵埃などの汚染物質を除去するため、液体を使用する空気清浄機および空気清浄方法に関する。
【背景技術】
【０００２】
空気中の複数種類のガスや煙、塵、埃などを除去するための空気清浄機において、内部に処理液を有するタイプのものがある。このタイプにおいては、空気を取り込み内部の処理液と気液接触を利用して処理する。この処理方法では、汚染物質を含む空気と処理液としての水とが接触することにより、空気内の汚染物質が水に溶解して処理される。気液混合手段による空気浄化において、特許文献１では、水質の管理・制御手段が開示されている。これは殺菌・抗菌を目的としたものである。
【０００３】
ところで、気液接触により空気中の成分を浄化する場合、気中成分の液体への溶解が進行することで、やがて飽和状態になり、浄化性能が低下するという問題がある。特に、たばこの燃焼により発生するガス成分を気液混合により浄化する場合、その中に含まれるアセトアルデヒドは、わずかな気液混合で水中への溶解度が著しく低下する。
【０００４】
そこで処理液の溶解度低下を防ぐ方法が望まれており、そのために気液接触をする処理液を交換する方法がある。この方法は、水を排水する手段と水を供給する手段とを有し、汚染された処理液を排水し、かわりに新しい処理水を気液接触部に供給するというものである。
【０００５】
【特許文献１】特許第３２２０１８１号公報
【発明の開示】
【発明が解決しようとする課題】
【０００６】
しかしながら、どのようなタイミングで交換するかという交換時期や、頻繁に水を交換すればコストがかかるという問題があり、常に溶解度の高い清浄な処理液で、気液接触処理をできるわけではない。
【０００７】
そこで本発明は、上記課題を解決するため、処理液の溶解度の低下を再生させ、効率よく処理できる空気清浄機の提供を目的としたものである。
【課題を解決するための手段及び発明の効果】
【０００８】
上記課題を解決するために、本発明の空気清浄機は、
空気と処理液とを接触させることにより、空気中の汚染物質をその処理液で処理して減少させる気液接触手段と、
空気を取り込み気液接触手段へ導入する送気手段および吸気手段の少なくとも一つと、
処理液に含有された汚染物質を酸化する酸化手段と
を含む。
【０００９】
送気手段または吸気手段を備えるため、空気を吸引することができ、さらに空気と処理液とを接触させる気液接触手段を有するため、気液接触により、空気中の汚染物質を処理液で処理することができる。気液接触により汚染空気を処理すると、処理液が汚染物質を取り込み、溶解度が低下する。処理液に含有された汚染物質を酸化する手段を有するため、汚染物質を酸化によって他の物質へと変化させ、これにより処理液の溶解度を再び上げることができる。
【００１０】
本発明の空気清浄機の酸化手段として、酸化剤を使用できる。酸化剤を処理液に加えることにより、処理液内の汚染物質を酸化し、汚染物質を変化させることにより、処理液の溶解度を回復することができる。酸化剤としては、例えばＫＭｎＯ４やＭｎＯ２のようなマンガン化合物や、ＨＮＯ３のような無機窒素化合物や、Ｈ２Ｏ２のような過酸化物などが利用できる。
【００１１】
本発明の空気清浄機は、酸化手段としてオゾンを発生するオゾン発生部を有し、オゾン発生部で発生したオゾンによる酸化処理を行う。オゾン発生装置によりオゾンを発生させることができる。発生したオゾンは、処理液に取り込まれ、同様に気液接触により取り込まれた汚染物質を接触し、汚染物質を酸化処理することができる。つまりオゾンは酸化剤である。酸化された汚染物質は、異なる物質へと変化するため、処理液への溶解度が異なることになり、これにより処理液の溶解度を向上させることができる。
【００１２】
本発明の空気清浄機は、処理液を酸化するために使用された後、排出されるオゾンを処理する残留オゾン処理手段を排気経路中に備える。オゾンは、健康に有害となるおそれがあり、空気清浄機外に排出されることは望ましくない。本発明では、排気経路中に残留オゾン処理手段を備えるため、清浄化された空気と共にオゾンが空気清浄機外に排出されることを防ぐことができる。残留オゾン処理手段として活性炭を用いることができる。排気経路中に活性炭を備えることで、オゾンを吸着、分解することができる。さらに光触媒などを使用してもよい。
【００１３】
さらに、空気清浄機内に、処理液を酸化するために使用され、処理液から放出されるオゾンを回収する残留オゾン回収経路を備えることもできる。残留オゾン回収経路は、オゾンを空気清浄機外へ排出させず、回収する経路である。この経路を設け、処理液から放出されたオゾンをこの残留オゾン回収経路に導入することにより、確実にオゾンの空気清浄機外への排出を防ぐことができる。
【００１４】
また、処理液を酸化するために使用された後、排出されるオゾンを検出するオゾン検出部を備えてもよい。オゾン検出部により、空気清浄機外へオゾンが排出された場合、これを検出することができる。オゾンを検出した場合、制御部へ信号を伝達し、制御部によって、オゾンの発生を抑制したり、停止したりすることができる。
【００１５】
本発明の空気清浄機は、人の所在の有無を検知する人感部を備え、人感部の検知により、オゾンの発生を制御するようにもできる。人感部を備えることにより、空気清浄機周辺に人がいるかを検知することができる。これにより人が周辺にいる場合は、オゾンの発生を抑制または停止することができる。
【００１６】
本発明の空気清浄機は、タイマーによる制御手段を備え、タイマーによりオゾンの発生を制御するようにもできる。タイマーにより、オゾンを発生させる時間を設定することができる。夜間など人のいない時間にオゾンを発生するように設定することで、健康への悪影響を防ぐことができる。
【００１７】
さらに上記課題を解決するための本発明の空気清浄方法は、アルデヒド基を含むアルデヒドが混入した空気を処理液と接触させる気液接触により、処理液中に取り込まれたアルデヒドを、酸化手段により酸化し、アルデヒド基をカルボキシル基に変えることによって、アルデヒドをカルボン酸に変化させ、これにより気液接触後の空気中からアルデヒドを減少させることを特徴とする。
【００１８】
処理液とアルデヒドが気液接触することにより、空気中の汚染物質としてのアルデヒドを減少させることができる。アルデヒドを、酸化手段によって酸化することによって、カルボン酸に変化させることができる。アルデヒドは、水への溶解度が小さいが、カルボン酸に変化させることにより、水への溶解度が大きくなり、これによって効率よく空気中のアルデヒドを減少させることができる。
【００１９】
また本発明の空気清浄方法は、アセトアルデヒドが混入した空気を処理液と接触させる気液接触により、処理液中に取り込まれたアセトアルデヒドを、オゾンにより酸化し、アセトアルデヒドを酢酸に変化させ、これにより気液接触後の空気中からアセトアルデヒドを減少させる。
【００２０】
空気中に含まれる汚染物質としてのアセトアルデヒドを処理液で処理すると、処理液が汚染され、アセトアルデヒドが溶解しにくくなるが、処理液中のアセトアルデヒドをオゾンによって酸化し、酢酸に変えることにより、酢酸の水への溶解度は大きいため効率よく汚染空気を処理することができる。
【発明を実施するための最良の形態】
【００２１】
気液接触の空気清浄機において、酸化手段を備えることにより、処理液の溶解度を回復させる。
【実施例１】
【００２２】
以下、図面に示す実施例を参照しつつ、本発明の実施形態を説明する。図１に、気液接触手段として散気部５を備えた空気清浄機１の概念図を示す。空気清浄機１の内部には、水槽６があり、水槽６には空気に含まれる汚染物質を処理するために、処理液９をいれる。水槽６へ空気を送るために、送気手段としてファン３が取り付けられており、ファン３が送気管４によって散気部（曝気部ともいう）としてのエアプレート５と結合されている。エアプレート５は、多数の孔が空いている。また空気清浄機には、水槽外部に酸化手段としてオゾンを発生するオゾン発生部１２が備えられている。さらにオゾンを検出するオゾン検知部１３、人の所在の有無を検出する人感部として人感センサー１５、室内を換気する換気扇１４が設置され、それぞれが制御部１１と接続されており、それらを制御部１１で制御する。またファン３も制御部１１と接続され、制御部によって制御する。さらに空気排出口７より手前の排出経路１６内には、残留オゾン処理手段としてオゾンを分解するためのオゾン分解用活性炭２０を備える。制御部１１には、タイマーを備えることもできる。タイマーを設定することにより、所望の時間にオゾンが発生するようにできる。例えば、夜間など人が周辺にいない時間にオゾンが発生するようにすれば、健康への影響の心配もない。
【００２３】
なお気液接触手段としての散気部は、空気を散気（曝気）できればよく、必ずしもエアプレートでなくてもよい。空気を排出できるものであれば例えば球状や円筒状の形状とすることもできる。また多数の孔のある形態に限られない。散気部を備えずに、送気管の先端から直接処理液中に空気を排出する形態としてもよい。
【００２４】
ファン３により、汚染された空気２が、空気清浄機１内へ取り込まれる。ファン３によって吸い込まれた空気２は、送気管４を通り、水槽６中にあるエアプレート５から水槽６内の処理液９内に排出される。エアプレート５から排出された空気は、気泡となり、処理液９内を通過する間に汚染物質が除去され、水槽６の上部へと上昇していく。この後、排出経路１６を通り空気排出口７より、排出される。
【００２５】
空気清浄機を稼動し続けることにより、吸入した空気中の汚染物質を溶解した処理液が汚染され、処理液の溶解度が低下する。そのため本実施形態では、オゾンを発生するためのオゾン発生部１２が水槽６へ接続されている。オゾン発生部１２は、送気管２１より空気を取り入れてオゾンを発生させる。発生したオゾンは、送気管２２を通り水槽６の処理液へ放出される。オゾンにより、処理液中の汚染物質を酸化させることができる。
【００２６】
オゾンの発生方法は、複数ある。例えば、放電により高濃度の気相のオゾンを発生し、水と気液接触させて、水にオゾンを溶解させてオゾン水を得る方法がある。図２（ａ）に、放電によるオゾン発生装置７０を示す。１対の対向する電極７１，７２により板状の誘電体７３を挟んで、放電素子を形成する。この放電素子と放電素子に交流高電圧を印加する昇圧変圧器７６，交流電源７７により放電装置を構成する。対向した電極７１，７２に交流高電圧を加えると、電極間に無声放電が起こる。この電極７１，７２間に空気または酸素を導入することにより、オゾンを生成する。放電素子に印加する電圧をコントロールすることにより、オゾンの発生量を調整することができる。発生したオゾンを図１の送気管２２で水槽６へ送ることにより、水槽６内の処理液に取り込まれた汚染物質を酸化することができる。
【００２７】
また水を電気分解すると、陽極側に発生する酸素にオゾンが混入すること、オゾンは酸素に比べて水に溶けやすいことから、水の電気分解で発生したオゾンを水に溶解させてオゾン水を得る方法もある。図２（ｂ）に電気分解によるオゾン発生装置９０を示す。オゾン発生装置９０内は、陽極室９１と陰極室９２とに固形電解質膜９３によって区切られている。陽極室９１内には、陽電極９４が、陰極室９２内には、陰電極９５が備えられ、陽電極９４と陰電極９５との間に直流電圧を印加するように構成されている。流入口９６，９７から水を陽極室９１、陰極室９２に導入し、電圧を印加する。陽極側の水素イオンが陰極側へ移動することにより、陽電極側で酸素が発生し、陰電極側で水素が発生する。陽電極９４と陰電極９５との電位差を酸素発生に必要な電位差より大きくするとオゾンが発生する。そして流出口９８からオゾン水が得られる。
【００２８】
オゾンの発生方法は、これらの方法に限られない。処理液にオゾンを導入することのできるものであれば、どのような方式であってもよい。
【００２９】
例えば、たばこの燃焼により発生するガスを気液混合により清浄化する場合、たばこの煙には、アセトアルデヒドが含まれるが、わずかな気液混合によりアセトアルデヒドの水中への溶解度が著しく低下する。このオゾン発生手段により、発生したオゾンを処理液へ溶解させることによりアルデヒド類を酢酸等に酸化させることができる。アセトアルデヒドは、酸化され以下のように、酢酸へ変化する。
【００３０】
【化１】
2005074311.tif 000003
【００３１】
酢酸は、水に対し溶解度が大きいため、水に溶解したアルデヒド類を酢酸等へ変化させることにより、さらにアルデヒド類を処理液で処理することができるようになる。つまり水に溶解したアルデヒド基を含むアルデヒドを酸化し、アルデヒド基をカルボキシル基へと変化させ、カルボン酸とすることで、水への溶解度が変化し、さらに空気中に含まれるアルデヒドを処理することができる。
【００３２】
図１に戻り、処理液内に放出されたオゾンは、処理液内の物質を酸化し、空気清浄機内の排出経路１６を通り、清浄化された空気８とともに排出される。空気排出口７の手前の排出経路１６内には、オゾン分解用活性炭２０を備える。活性炭によりオゾンを吸着することができる。吸着されたオゾンは、活性炭と反応し、ＣＯ２や少量のＣＯを生成する。つまりオゾンを分解することができる。または活性炭の他に、光触媒を利用してもよい。シリカ（ＳｉＯ２）、アルミナ（Ａｌ２Ｏ３）、酸化第二鉄（Ｆｅ２Ｏ３）などを利用し、オゾンを分解し、酸素とすることもできる。
【００３３】
空気排出口７付近には、オゾン検知部１３を設置し、オゾン分解用活性炭２０で分解されず、排出されるオゾンを検知する。オゾン検知部１３は、オゾンを検知すると、制御部１１へ信号を送り、制御部１１は、オゾン発生部１２でのオゾン発生量を抑制したり、換気扇１４を作動させたりする。
【００３４】
さらに本実施例は、人感部として人感センサー１５を備える。オゾンは大量に吸引すると健康に影響するため、人感センサー１５により、人の所在の有無を検知し、人がいる場合は、オゾンの発生をさせずに、気液混合による空気の浄化のみを行わせることもできる。人がいない場合には、オゾンを発生させ、溶解度が低下した処理液内の物質を酸化させることにより、処理液の溶解度を回復させる。
【実施例２】
【００３５】
図３にオゾン発生手段として、電気分解方式を採用した場合の実施例として空気清浄機３０を示す。オゾン発生手段が電気分解方式のため、オゾン発生装置３２には、水を供給する流入口２４，２５が備えられ、発生したオゾン水を水槽６へ供給する給水管２６とオゾンを含まない水を水槽へ給水または排水する配管２７，２８とが接続されている。その他の構造は、図１の実施例と同様である。
【００３６】
流入口２４，２５から水をオゾン発生部３２内に導入する。オゾン発生部３２でオゾン水が生成され、給水管２６から水槽６内に供給される。オゾンを含まない水は、配管２８から給排水弁３３を通って、配管２７より水槽へ供給することもできるし、配管２９から排水することもできる。また水槽６内の処理液９を配管２７、給排水弁３３、配管２９の順で排水してもよい。
【００３７】
オゾン発生部３２で生成されたオゾン水が、水槽６へ供給されることにより、処理液９中の汚染物質が酸化される。これにより汚染物質が変化し、処理液の溶解度を回復することができる。
【実施例３】
【００３８】
図４に残留オゾン回収経路を備えた実施例を示す。前述の実施例と同様に、空気清浄機４０の内部には、水槽６があり、水槽６には空気に含まれる汚染物質を処理するために、処理液９を入れる。水槽６へ空気を送るために、送気手段としてファン３が取り付けられており、ファン３が送気管４によって散気部（曝気部ともいう）としてのエアプレート５と結合されている。また空気清浄機には、水槽外部にオゾン発生部が備えられている。さらにオゾン検知部１３、人感部としての人感センサー１５が設置され、それらを制御部１１で、制御する。排出経路１６内には、制御弁４３があり、制御部１１と接続されている。
【００３９】
オゾン発生部１２は、送気管２２と残留オゾン回収経路としての回収管４１とにより水槽６と接続されている。送気管２２により、発生したオゾンを水槽６内へ導入する。また回収管４１には、制御弁４２が備えられており、排出経路１６の制御弁４３を閉じ、回収管４１の制御弁４２を開けることにより、水槽６内のオゾンを回収管４１へ導入し、残留オゾン処理手段としてのオゾン分解用活性炭４４にて、オゾンを分解する。
【００４０】
ファン３によって吸い込まれた空気は、送気管４を通り、水槽６中にあるエアプレート５から水槽６内の処理液９内に排出される。エアプレート５から排出された空気は、気泡となり、処理液９内を通過する間に汚染物質が除去され、水槽６の上部へと上昇していく。この場合、オゾンを発生させず、回収管４１の制御弁４２を閉じ、排出経路１６の制御弁４３を開ける。これにより、清浄化された空気８は、空気排出口７より排出される。
【００４１】
空気清浄機４０による空気清浄化を停止した後、溶解度の低下した処理液を回復させるため、オゾン発生部１２により、オゾンを発生させる。発生したオゾンは、送気管２２より水槽６内へ放出され、処理液９と接触することにより、処理液９内に取り込まれた物質を酸化する。これにより、例えば、処理液９内に取り込まれたアセトアルデヒドが酸化され、酢酸へと変化し、アセトアルデヒドを再び効率よく吸収することができるようになる。この場合、排出経路１６の制御弁４３を閉じ、処理液から放出されたオゾンが空気清浄機４０外へ排出されないようにする。
【００４２】
汚染空気を吸引していない場合は、制御弁４３を閉じておくことができ、処理液９と接触したオゾンは、処理液９上へ上昇し、回収管４１の制御弁４２を開放しておくことにより、回収管４１へ導入される。回収管４１には、オゾン分解用活性炭４４を備えておくことにより、オゾンを分解することができる。分解されたオゾンは、酸素となりオゾン発生部へ運ばれ、再びオゾンとして、水槽内へ導入される。制御弁４３を閉じることにより、オゾンを空気清浄機外へ排出しないことができる。
【実施例４】
【００４３】
図５にオゾン発生部１２を備えた噴霧・水膜方式による空気清浄機５０を示す。本実施例では、筐体５６内に処理液９を貯蔵する水槽５５、処理液９を放水する気液接触手段としての放水部５４、水槽内の処理液９を放水部５４へ導入するための循環パイプ５１，５２と循環ポンプ５３、オゾン発生部１２、制御部１１、さらに制御部１１に接続されるオゾン検知部１３、人感部１５、換気部１４とを備える。また空気排出口７側に、排出されるオゾンを捕獲するためのオゾン分解用活性炭２０、空気２を筐体５６内に導入し、かつ処理された空気８を、筐体５６外へ排出するためのファン３が備えられている。
【００４４】
水槽５５に貯蔵された処理液９は、循環ポンプ５３により、循環パイプ５１，５２を通過して、放水部５４へと導入される。放水部５４へ達した処理水９は、水槽５５へと落下する。一方、ファン３によって空気導入口５７から、導入された汚染空気２は、放水部５４から水槽５５へと落下する処理液９と気液接触し、空気中の汚染物質が処理される。汚染空気と気液接触した処理液９は、次第に溶解度が低下する。
【００４５】
水槽９へ接続されたオゾン発生部１２にて発生されたオゾンは、送気管２２を通り水槽９とへ運ばれる。放水部５４から落下し、汚染空気と接触した処理液は、溶解度が低下する。特に、たばこの煙を処理する場合、たばこの煙にはアセトアルデヒドが含まれるが、アセトアルデヒドは、水に対する溶解度が低いため、これにより処理液が汚染されると、気液接触をしても処理されなくなる。しかし、オゾンが処理液に導入されることにより、このオゾンで処理液中の汚染物質が酸化される。オゾンとアセトアルデヒドが接触をすることにより、酢酸へと変化し、酢酸は水に対する溶解度が高いため、再び処理液の溶解度を再生することができる。
【実施例５】
【００４６】
図６にオゾン発生部１２を備えた含浸部材式による空気清浄機６０を示す。本実施例では、筐体５６内に処理液９を貯蔵する水槽５５、処理液９が内部に含浸されている気液接触手段としての含浸部材６１、水槽内の処理液９を含浸部材６１へ導入するための循環パイプ５１，５２と循環ポンプ５３、オゾン発生部１２、制御部１１、さらに制御部１１に接続されるオゾン検知部１３、人感部１５、換気部１４とを備える。含浸部材は、ウレタンのようなスポンジ状のものや、布や綿、シリカゲルなどが挙げられる。通気性のあるものであれば特に限定しない。その他の構造は、前実施例と同様である。
【００４７】
水槽５５に貯蔵された処理液９は、循環ポンプ５３により、循環パイプ５１，５２を通過して、含浸部材６１へと導入される。含浸部材６１は、処理液を含浸することのできるものであり、かつ通気性がある。ファン３によって空気導入口５７から、導入された汚染空気２は、含浸部材６１内を水槽５５へと落下する処理液９と気液接触し、空気中の汚染物質が処理される。
【００４８】
水槽９へ接続されたオゾン発生部１２にて発生されたオゾンは、送気管２２を通り水槽９とへ運ばれる。含浸部材６１から落下し、汚染空気と接触した処理液は、溶解度が低下する。前述と同様に、オゾンが処理液に導入されることにより、このオゾンで処理液中の汚染物質が酸化される。これにより、再び処理液の溶解度を再生することができる。
【００４９】
アルデヒド類の酸化手段に関しては、オゾンによる酸化に限定するものではなく、例えばＫＭｎＯ４やＭｎＯ２のようなマンガン化合物や、ＨＮＯ３のような無機窒素化合物や、Ｈ２Ｏ２のような過酸化物といった酸化剤による酸化手段でもよい。この場合オゾン発生部の替わりに、酸化剤導入部を水槽へ接続し、酸化剤を水槽の処理液へ投入することができるようにする。この投入は、制御部によって制御する。
【００５０】
汚染空気と処理液との接触形態は、前述の形態に限られない。処理液は、放水部から水膜を形成して水槽へ流動する形態でもよいし、放水部から噴霧され霧状となり水槽へ流動する形態でもよい。また処理液を空気清浄機内の上部から下部へ落下させるのではなく、横断的に放水する形態にしたり、下部から上部へ向けて流動する形態にしたりしてもよい。さらに通気性のある含浸部材内を処理液が落下し、この処理液内を空気が通過するような形態としてもよい。また空気を空気清浄機内に導入するための送気手段または吸気手段は、ファンに限られず、ポンプなどを利用してもよい。
【００５１】
以上のように、酸化手段を備えることにより、汚染空気と接触し、溶解度の低下した処理液内の汚染物質を酸化して、他の物質に変換することができる。これにより、処理液の溶解度を回復させ、処理効率を上げることができる。
【図面の簡単な説明】
【００５２】
【図１】オゾン発生部を備えた空気清浄機の実施例１。
【図２】オゾン発生部の模式図。
【図３】オゾン発生部を備えた空気清浄機の実施例２。
【図４】オゾン発生部を備えた空気清浄機の実施例３。
【図５】オゾン発生部を備えた空気清浄機の実施例４。
【図６】オゾン発生部を備えた空気清浄機の実施例５。
【符号の説明】
【００５３】
１１  制御部
１２  オゾン発生部
１３  オゾン検知部
１４  換気扇
１５  人感部
２０  オゾン分解用活性炭
３２  オゾン発生部
４１  回収管
４４  オゾン分解用活性炭
【図１】
2005074311.tif 000004
【図２】
2005074311.tif 000005
【図３】
2005074311.tif 000006
【図４】
2005074311.tif 000007
【図５】
2005074311.tif 000008
【図６】
2005074311.tif 000009